(57)【要約】本発明は、干渉ベースの波合成のための装置及び方法を提供する。本発明は、（ｉ）出力波特性を規定する情報を受信することであって、前記出力波特性は、少なくとも、出力波周波数Ｂ及び出力信号振幅Ｍを含むことと、（ｉｉ）定数値Ａを決定することと、（ｉｉｉ）第１の入力波発生器を駆動して第１の入力波を発生することと、（ｉｖ）第２の入力波発生器を駆動して第２の入力波を発生することとを含み、それによって、第１の入力波及び第２の入力波の干渉によって合成された干渉波は、受信した情報によって規定される出力波特性を有する。【選択図】  図６
2019535038.tif 000002
【特許請求の範囲】
【請求項１】
干渉ベースの波合成のための装置であって、
第１の入力波発生器と、
第２の入力波発生器と、
信号プロセッサであって、
出力波特性を規定する情報を受信するように構成され、前記出力波特性が、少なくとも、出力波周波数Ｂ及び出力信号振幅Ｍを含み、
定数値Ａを決定するように構成され、
前記第１の入力波発生器を駆動して第１の入力波を発生するように構成され、前記第１の入力波が、
周波数（Ａ＋Ｂ）と、
１／（２＊ｓｉｎ（Ａ＊ｔ））の関数である振幅と、
を含み、
前記第２の入力波発生器を駆動して第２の入力波を発生するように構成され、前記第１の入力波が、
周波数（Ａ−Ｂ）と、
１／（２＊ｓｉｎ（Ａ＊ｔ））の関数である振幅と、
を含む、信号プロセッサと、
を備える、装置。
【請求項２】
前記信号プロセッサが、
前記第１の入力波がＭ／（２＊ｓｉｎ（Ａ＊ｔ））に等しい振幅を有するように、前記第１の入力波発生器を駆動して前記第１の入力波を発生するように構成され、
前記第２の入力波が、Ｍ／（２＊ｓｉｎ（Ａ＊ｔ））に等しい振幅を有するように、前記第２の入力波発生器を駆動して前記第２の入力波を発生するように構成される、請求項１に記載の装置。
【請求項３】
前記第１の入力波発生器が、第１の波出力経路を画定するように構成され、前記第２の入力波発生器が、第２の波出力経路を画定するように構成され、それによって、前記第１の入力波及び前記第２の入力波が、前記第１の波出力経路及び前記第２の波出力経路の交差部によって画定された干渉領域内で互いに干渉する、請求項１に記載の装置。
【請求項４】
前記第１の入力波及び前記第２の入力波の干渉によって発生される出力波が、波形式
ｃｏｓＢ＝（ｓｉｎ（Ａ＋Ｂ）＋ｓｉｎ（Ａ−Ｂ））／（２ｓｉｎＡ）
を満たす、請求項１に記載の装置。
【請求項５】
前記第１の入力波及び前記第２の入力波の干渉によって発生される出力波が、波形式
ｓｉｎＢ＝（ｓｉｎ（Ａ＋Ｂ）−ｓｉｎ（Ａ−Ｂ））／（２ｃｏｓＡ）
を満たす、請求項１に記載の装置。
【請求項６】
前記第１の入力波及び前記第２の入力波の干渉によって発生される出力波が、波形式
ｃｏｓＢ＝（ｃｏｓ（Ａ＋Ｂ）＋ｃｏｓ（Ａ−Ｂ））／（２ｃｏｓＡ）
を満たす、請求項１に記載の装置。
【請求項７】
前記第１の入力波及び前記第２の入力波の干渉によって発生される出力波が、波形式
ｓｉｎＢ＝（ｃｏｓ（Ａ−Ｂ）−ｃｏｓ（Ａ＋Ｂ））／（２ｓｉｎＡ）
を満たす、請求項１に記載の装置。
【請求項８】
前記第１の入力波発生器が、第１の入力波発生表面を含み、前記第２の入力波発生器が、第２の入力波発生表面を含み、前記第１の入力波発生表面及び前記第２の入力波発生表面が、互いに面するように位置決めされる、請求項１に記載の装置。
【請求項９】
周波数Ｂが、２０Ｈｚ〜２００Ｈｚの範囲内の周波数であり、周波数（Ａ＋Ｂ）及び周波数（Ａ−Ｂ）の各々が、２００００Ｈｚ〜２０ＭＨｚの範囲内の周波数である、請求項１に記載の装置。
【請求項１０】
前記装置がスピーカである、請求項１に記載の方法。
【請求項１１】
干渉ベースの波合成のための方法であって、
出力波特性を規定する情報を受信するステップであって、前記出力波特性は、少なくとも、出力波周波数Ｂ及び出力信号振幅Ｍを含む、ステップと、
定数値Ａを決定するステップと、
第１の入力波を発生するステップであって、前記第１の入力波が、
周波数（Ａ＋Ｂ）と、
１／（２＊ｓｉｎ（Ａ＊ｔ））の関数である振幅と、
を含む、ステップと、
第２の入力波を発生するステップであって、前記第１の入力波が、
周波数（Ａ−Ｂ）と、
１／（２＊ｓｉｎ（Ａ＊ｔ））の関数である振幅と、
を含む、ステップと、
を含む、方法。
【請求項１２】
前記第１の入力波が、Ｍ／（２＊ｓｉｎ（Ａ＊ｔ））に等しい振幅を有し、
前記第２の入力波が、Ｍ／（２＊ｓｉｎ（Ａ＊ｔ））に等しい振幅を有する、請求項１１に記載の方法。
【請求項１３】
前記第１の入力波を発生するように構成された第１の入力波発生器が、画定された第１の波出力経路を有し、前記第２の入力波を発生するように構成された第２の入力波発生器が、画定された第２の波出力経路を有し、それによって、前記第１の入力波及び前記第２の入力波が、前記第１の波出力経路及び前記第２の波出力経路の交差部によって画定された干渉領域内で互いに干渉する、請求項１１に記載の方法。
【請求項１４】
前記第１の入力波及び前記第２の入力波の干渉によって発生される出力波が、波形式
ｃｏｓＢ＝（ｓｉｎ（Ａ＋Ｂ）＋ｓｉｎ（Ａ−Ｂ））／（２ｓｉｎＡ）
を満たす、請求項１１に記載の方法。
【請求項１５】
前記第１の入力波及び前記第２の入力波の干渉によって発生される出力波が、波形式
ｓｉｎＢ＝（ｓｉｎ（Ａ＋Ｂ）−ｓｉｎ（Ａ−Ｂ））／（２ｃｏｓＡ）
を満たす、請求項１１に記載の方法。
【請求項１６】
前記第１の入力波及び前記第２の入力波の干渉によって発生される出力波が、波形式
ｃｏｓＢ＝（ｃｏｓ（Ａ＋Ｂ）＋ｃｏｓ（Ａ−Ｂ））／（２ｃｏｓＡ）
を満たす、請求項１１に記載の方法。
【請求項１７】
前記第１の入力波及び前記第２の入力波の干渉によって発生される出力波が、波形式
ｓｉｎＢ＝（ｃｏｓ（Ａ−Ｂ）−ｃｏｓ（Ａ＋Ｂ））／（２ｓｉｎＡ）
を満たす、請求項１１に記載の方法。
【請求項１８】
干渉ベースの波合成を実装するためのコンピュータプログラム製品であって、内部に具現化されたコンピュータ可読プログラムコードを有する非一時的コンピュータ使用可能媒体を備え、前記コンピュータ可読プログラムコードが、
出力波特性を規定する情報を受信するための命令であって、前記出力波特性が、少なくとも、出力波周波数Ｂ及び出力信号振幅Ｍを含む、命令と、
定数値Ａを決定するための命令と、
第１の入力波を発生するための命令であって、前記第１の入力波が、
周波数（Ａ＋Ｂ）と、
１／（２＊ｓｉｎ（Ａ＊ｔ））の関数である振幅と、
を有する、命令と、
第２の入力波を発生するための命令であって、前記第１の入力波は、
周波数（Ａ−Ｂ）と、
１／（２＊ｓｉｎ（Ａ＊ｔ））の関数である振幅と、
を有する、命令と、
を含む、コンピュータプログラム製品。
【発明の詳細な説明】
【技術分野】
【０００１】
[001]本発明は、好ましい周波数を有する出力波を発生するための装置及び方法に関する。特に、本発明は、複数の入力波の重ね合わせを通じた出力波の発生を可能にする。
【背景技術】
【０００２】
[002]波発生は、例えばオーディオ技術の分野を含む、様々な実際の用途を有する複雑な分野である。
【０００３】
[003]各波は、１つ又は複数の正弦波信号の合算として理解することができ、正弦波信号の各々は、以下の関数の形式で表すことが可能な正弦波形として表されることが可能である。
Ｆ（ｔ）＝Ｍ．ｓｉｎ（Ｘ．ｔ＋Ｚ）                            ．．．式（１）
ここで、（ｉ）Ｍは振幅であり、（ｉｉ）Ｘは周波数であり、（ｉｉｉ）Ｚは初期位相である。
【０００４】
[004]しかしながら、波の発生は、そのような波を発生する目的で用いられるドライバの物理的局面及び制限によって支配されることがわかっている。特に、一定の周波数における波の発生は、他の周波数における波の発生と比較して、複雑であるか、非効率的であるか、又はリソース集約的となり得ることがわかっている。特定の例として、オーディオ技術分野では、２００Ｈｚ未満（例えば、２０Ｈｚ〜２００Ｈｚ、又は更には２０Ｈｚ未満）の周波数の発生には、より高い周波数を発生するのに用いられるドライバ（例えば、ウーファ、中音域スピーカ及びツイータ）よりもはるかにサイズが大きく（したがって、製造がより複雑で高価である）、かつ高いエネルギー消費要件を有するドライバ（例えば、スピーカ）が必要となることがわかっている。共振周波数に関する問題に対処すること、及び減衰することは、通常、サイズ、重量、設計、構造を含む、エンクロージャの検討事項、及び低周波数ドライバのための従来の設計のコストに影響を及ぼす。
【０００５】
[005]発生するのが困難であるか、複雑であるか、又は不便である特定の周波数において波を発生する問題に対する潜在的な解決策は、波重ね合わせの原理を適用して、特別に選択された周波数を有する複数の入力波を結合し、所望の周波数を有する、合成された（重ね合わされた）出力波を発生することである。この手法の基礎を成す理論は、複数の入力波間の干渉の結果として、要求された周波数特性を有する出力波が発生することであった。
【０００６】
[006]しかしながら、異なる周波数を有する２つ以上の入力波を結合する結果として、潜在的に、結合された出力波が所望の周波数を有する一方で、結果として得られる出力波が、時間と共に変動する振幅成分を有し、これにより出力波が実際の用途に望ましくなくなり得ることがわかっている。オーディオ分野において、この問題は、異なる選択周波数の２つの入力波を結合した結果、所望の周波数であるがビート波形（すなわち、時間と共に変動する振幅／ボリューム特性）を有する出力波が得られるときに観察される場合がある。
【０００７】
[007]したがって、複数の入力波を効率的に結合して、制御可能な又は所望の周波数及び振幅特性を有する重ね合わされた出力波を発生することができる解決策が必要とされている。
【発明の概要】
【０００８】
[008]本発明は、干渉ベースの波合成のための装置を提供する。本装置は、第１の入力波発生器と、第２の入力波発生器と、信号プロセッサとを備える。信号プロセッサは、（ｉ）出力波特性を規定する情報を受信するように構成することができ、前記出力波特性は、少なくとも、出力波周波数Ｂ及び出力信号振幅Ｍを含み、（ｉｉ）定数値Ａを決定するように構成することができ、（ｉｉｉ）第１の入力波発生器を駆動して第１の入力波を発生するように構成することができ、（ｉｖ）前記第２の入力波発生器を駆動して第２の入力波を発生するように構成することができる。前記第１の入力波は、周波数（Ａ＋Ｂ）と、１／（２＊ｓｉｎ（Ａ＊ｔ））の関数である振幅とを有することができる。第２の入力波は、周波数（Ａ−Ｂ）と、１／（２＊ｓｉｎ（Ａ＊ｔ））の関数である振幅とを有することができる。
【０００９】
[009]信号プロセッサは、（ｉ）第１の入力波がＭ／（２＊ｓｉｎ（Ａ＊ｔ））に等しい振幅を有するように、第１の入力波発生器を駆動して前記第１の入力波を発生するように構成することができ、（ｉｉ）第２の入力波がＭ／（２＊ｓｉｎ（Ａ＊ｔ））に等しい振幅を有するように、第２の入力波発生器を駆動して前記第２の入力波を発生するように構成することができる。
【００１０】
[0010]第１の入力波発生器は、第１の波出力経路を画定するように構成することができ、第２の入力波発生器は、第２の波出力経路を画定するように構成することができ、それによって、第１の入力波及び第２の入力波は、第１の波出力経路及び第２の波出力経路の交差部によって画定された干渉領域内で互いに干渉する。
【００１１】
[0011]装置の実施形態では、第１の入力波及び第２の入力波の干渉によって発生される出力波は、波形式
ｃｏｓＢ＝（ｓｉｎ（Ａ＋Ｂ）＋ｓｉｎ（Ａ−Ｂ））／（２ｓｉｎＡ）
を満たす。
【００１２】
[0012]別の実施形態では、第１の入力波及び第２の入力波の干渉によって発生される出力波は、波形式
ｓｉｎＢ＝（ｓｉｎ（Ａ＋Ｂ）−ｓｉｎ（Ａ−Ｂ））／（２ｃｏｓＡ）
を満たすことができる。
【００１３】
[0013]第１の入力波及び第２の入力波の干渉によって発生される出力波は、波形式
ｃｏｓＢ＝（ｃｏｓ（Ａ＋Ｂ）＋ｃｏｓ（Ａ−Ｂ））／（２ｃｏｓＡ）
を満たすことができる。
【００１４】
[0014]別の実施形態では、第１の入力波及び第２の入力波の干渉によって発生される出力波は、波形式
ｓｉｎＢ＝（ｃｏｓ（Ａ−Ｂ）−ｃｏｓ（Ａ＋Ｂ））／（２ｓｉｎＡ）
を満たすことができる。
【００１５】
[0015]第１の入力波発生器は、第１の入力波発生表面を含むことができ、第２の入力波発生器は、第２の入力波発生表面を含み、前記第１の入力波発生表面及び前記第２の入力波発生表面は、互いに面するように位置決めされる。
【００１６】
[0016]装置の実施形態では、周波数Ｂは、２０Ｈｚ〜２００Ｈｚの範囲内の周波数であり、周波数（Ａ＋Ｂ）及び周波数（Ａ−Ｂ）の各々は、２００００Ｈｚ〜２０ＭＨｚの範囲内の周波数である。
【００１７】
[0017]一実施形態では、装置はスピーカである。
【００１８】
[0018]本発明は、干渉ベースの波合成のための方法を更に提供する。方法は、（ｉ）出力波特性を規定する情報を受信することであって、前記出力波特性は、少なくとも、出力波周波数Ｂ及び出力信号振幅Ｍを含むことと、（ｉｉ）定数値Ａを決定することと、（ｉｉｉ）第１の入力波を発生することであって、前記第１の入力波は、周波数（Ａ＋Ｂ）と、１／（２＊ｓｉｎ（Ａ＊ｔ））の関数である振幅とを含むことと、（ｉｖ）第２の入力波を発生することであって、前記第１の入力波は、周波数（Ａ−Ｂ）と、１／（２＊ｓｉｎ（Ａ＊ｔ））の関数である振幅とを含むことと、を含む。
【００１９】
[0019]方法の実施形態では、第１の入力波は、Ｍ／（２＊ｓｉｎ（Ａ＊ｔ））に等しい振幅を有し、第２の入力波は、Ｍ／（２＊ｓｉｎ（Ａ＊ｔ））に等しい振幅を有する。
【００２０】
[0020]方法の別の実施形態では、第１の入力波を発生するように構成された第１の入力波発生器は、画定された第１の波出力経路を有し、前記第２の入力波を発生するように構成された第２の入力波発生器は、画定された第２の波出力経路を有し、それによって、第１の入力波及び第２の入力波は、第１の波出力経路及び第２の波出力経路の交差部によって画定された干渉領域内で互いに干渉する。
【００２１】
[0021]方法の実施形態では、第１の入力波及び第２の入力波の干渉によって発生される出力波は、波形式
ｃｏｓＢ＝（ｓｉｎ（Ａ＋Ｂ）＋ｓｉｎ（Ａ−Ｂ））／（２ｓｉｎＡ）
を満たすことができる。
【００２２】
[0022]方法の別の実施形態では、第１の入力波及び第２の入力波の干渉によって発生される出力波は、波形式
ｓｉｎＢ＝（ｓｉｎ（Ａ＋Ｂ）−ｓｉｎ（Ａ−Ｂ））／（２ｃｏｓＡ）
を満たす。
【００２３】
[0023]更なる実施形態では、第１の入力波及び第２の入力波の干渉によって発生される出力波は、波形式
ｃｏｓＢ＝（ｃｏｓ（Ａ＋Ｂ）＋ｃｏｓ（Ａ−Ｂ））／（２ｃｏｓＡ）
を満たす。
【００２４】
[0024]方法の代替的な実施形態では、第１の入力波及び第２の入力波の干渉によって発生される出力波は、波形式
ｓｉｎＢ＝（ｃｏｓ（Ａ−Ｂ）−ｃｏｓ（Ａ＋Ｂ））／（２ｓｉｎＡ）
を満たす。
【００２５】
[0025]本発明は、干渉ベースの波合成を実装するためのコンピュータプログラム製品を更に提供する。コンピュータプログラム製品は、内部に具現化されたコンピュータ可読プログラムコードを有する非一時的コンピュータ使用可能媒体を備えることができ、コンピュータ可読プログラムコードは、（ｉ）出力波特性を規定する情報を受信するための命令であって、前記出力波特性は、少なくとも、出力波周波数Ｂ及び出力信号振幅Ｍを含む、命令と、（ｉｉ）定数値Ａを決定するための命令と、（ｉｉｉ）第１の入力波を発生するための命令であって、前記第１の入力波は、周波数（Ａ＋Ｂ）と、１／（２＊ｓｉｎ（Ａ＊ｔ））の関数である振幅とを含む、命令と、（ｉｖ）第２の入力波を発生するための命令であって、前記第１の入力波は、周波数（Ａ−Ｂ）と、１／（２＊ｓｉｎ（Ａ＊ｔ））の関数である振幅とを含む、命令と、を含む。
【図面の簡単な説明】
【００２６】
【図１】波重ね合わせの例示的な実例を示す。
【図２】波重ね合わせの例示的な実例を示す。
【図３】波重ね合わせの例示的な実例を示す。
【図４】オーディオ分野における、波の重ね合わせの方式の例示的な説明を示す。
【図５】干渉する／重ね合わされた入力波形、及び合成された重ね合わされた出力波の例示的なグラフである。
【図６】本発明の装置の実施形態を示す。
【図７】本発明の教示によるドライバ／波発生器の例示的な構成を示す。
【図８】本発明の教示によるドライバ／波発生器の例示的な構成を示す。
【図９】本発明の教示を実装するように構成可能なシステムを示す。
【発明を実施するための形態】
【００２７】
[0032]図１は、波重ね合わせの例示的な実例を示し、第１の波及び第２の波は、同一の振幅及び周波数特性を有し、互いに対してπ（１８０°）の偶数倍の位相差を有し、したがって、合成波の振幅が第１の波及び第２の波の振幅の和となり、いずれの個々の振幅よりも大きくなるように、強め合って結合する。
【００２８】
[0033]図２は、波重ね合わせの実例を示し、同一の振幅及び周波数特性を有する第１の波及び第２の波は、互いに対してπ（１８０°）の奇数倍の位相差によって隔てられ、したがって、合成波の振幅が第１の波及び第２の波の振幅の中間となるように、したがって互いに相殺するように、弱め合って結合する。
【００２９】
[0034]しかしながら、波重ね合わせは、必ずしも（又は更に言えば、普通は）同一の振幅及び周波数特性を有する波の結合を伴わず、したがって、結果として完全な強め合う干渉又は弱め合う干渉が得られることは稀であることが理解されよう。代わりに、波重ね合わせは、しばしば、少なくとも、図３に示される種類の、異なる振幅、周波数及び／又は位相特性を有する第１の波及び第２の波を伴い、結果として、図３に示されるタイプの複合波形を有する出力波が得られる。
【００３０】
[0035]本発明は、周波数、振幅、位相等の異なる（発生するのに好都合な）特性を有する波を、制御された方式で選択、発生、及び結合して、周波数、振幅、位相等の所望の特性を有する出力波を発生することができるという驚くべき発見を前提としている。
【００３１】
[0036]同じ振幅Ｍの、それぞれ周波数Ｘ及びＹを有する任意の２つの正弦波の干渉／重ね合わせは、以下のように、
Ｍ＊ｓｉｎ（Ｘ＊ｔ）＋Ｍ＊ｓｉｎ（Ｙ＊ｔ）＝２＊Ｍ＊ｓｉｎ（（（Ｘ＋Ｙ）／２）＊ｔ）＊ｃｏｓ（（（Ｘ−Ｙ）／２）＊ｔ）                        ．．．式（２）
として、又は代替的に、
ｓｉｎ（Ｘ＊ｔ）＋ｓｉｎ（Ｙ＊ｔ）＝２＊ｓｉｎ（（（Ｘ＋Ｙ）／２）＊ｔ）＊ｃｏｓ（（（Ｘ−Ｙ）／２）＊ｔ）                                    ．．．式（３）
として表すことができる。
【００３２】
[0037]Ｘ及びＹをそれぞれ、２つの周波数Ａ及びＢの和及び差として表すことによって（すなわち、ここで、Ｘ＝（Ａ＋Ｂ）及びＹ＝（Ａ−Ｂ））、振幅Ｍの、それぞれ周波数Ｘ及びＹを有する２つの正弦波の干渉／重ね合わせは、以下のように、
Ｍ＊ｓｉｎ（（Ａ＋Ｂ）＊ｔ）＋Ｍ＊ｓｉｎ（（Ａ−Ｂ）＊ｔ）＝２＊Ｍ＊ｓｉｎ（Ａ＊ｔ）＊ｃｏｓ（Ｂ＊ｔ）                                        ．．．式（４）
として表すことができる。
【００３３】
[0038]このため、振幅Ｍを有し、それぞれ周波数（Ａ＋Ｂ）及び（Ａ−Ｂ）を有する２つの正弦波が干渉する／重ね合わされる場合、合成波形は、２つの周波数成分Ａ及びＢを有するビートである。このため、周波数Ａ又は周波数Ｂを有する波は、それぞれ周波数（Ａ＋Ｂ）及び（Ａ−Ｂ）を有する２つの波を干渉させるか又は重ね合わせることによって発生することができる。
【００３４】
[0039]例えば、上記の重ね合わされた波形が、重ね合わされた周波数Ｂを有すると考えられる場合、前記重ね合わされた波形の振幅は、２＊Ｍ＊ｓｉｎ（Ａ＊ｔ）として表すことができる。
【００３５】
[0040]この振幅は、時間と共に変動し、一定ではなく、したがって、この結果として得られる波形は、通常、周波数Ａ又はＢのいずれにも実際的に使用不可能である。
【００３６】
[0041]本発明は、２つの入力波の各々を処理し、その結果２つの入力波の各々の振幅が１／（２＊Ｍ＊ｓｉｎ（Ａ＊ｔ））の関数となるようにすることによってこの問題に対処する。一実施形態では、本発明は、２つの入力波の各々の振幅が、（ｉ）重ね合わされた出力波の意図された振幅（Ｍ）と、（ｉｉ）１／（２＊Ｍ＊ｓｉｎ（Ａ＊ｔ））との積に等しいことを確実にすることによって、時間と共に変動する振幅の問題に対処する。
【００３７】
[0042]それぞれ（Ａ＋Ｂ）及び（Ａ−Ｂ）に等しい周波数、並びにＭ／（２＊ｓｉｎ（Ａ＊ｔ））の関数である（Ｍ／（２＊ｓｉｎ（Ａ＊ｔ））に等しいことが好ましい）振幅を有する２つの入力波を干渉させるか又は重ね合わせることによって、結果として得られる重ね合わされた出力波は、以下の、
ｃｏｓ（Ｂ＊ｔ）＝ｓｉｎ（（Ａ＋Ｂ）＊ｔ）／（２＊ｓｉｎ（Ａ＊ｔ））＋ｓｉｎ＊（Ａ−Ｂ）＊ｔ）／（２＊ｓｉｎ（Ａ＊ｔ））                      ．．．式（５）
又は
ｓｉｎＡｃｏｓＢ＝（ｓｉｎ（Ａ＋Ｂ）＋ｓｉｎ（Ａ−Ｂ））／２  ．．．式（６）
又は
ｃｏｓＢ＝（ｓｉｎ（Ａ＋Ｂ）＋ｓｉｎ（Ａ−Ｂ））／（２ｓｉｎＡ）．．．式（７）
又は
ｃｏｓＡｓｉｎＢ＝（ｓｉｎ（Ａ＋Ｂ）−ｓｉｎ（Ａ−Ｂ））／２  ．．．式（８）
又は
ｓｉｎＢ＝（ｓｉｎ（Ａ＋Ｂ）−ｓｉｎ（Ａ−Ｂ））／（２ｃｏｓＡ）．．．式（９）
又は
ｃｏｓＡｃｏｓＢ＝（ｃｏｓ（Ａ＋Ｂ）＋ｃｏｓ（Ａ−Ｂ））／２．．．式（１０）
又は
ｃｏｓＢ＝（ｃｏｓ（Ａ＋Ｂ）＋ｃｏｓ（Ａ−Ｂ））／（２ｃｏｓＡ）．．．式（１１）
又は
ｃｏｓＡ＝（ｃｏｓ（Ａ＋Ｂ）＋ｃｏｓ（Ａ−Ｂ））／（２ｃｏｓＢ）．．．式（１２）
又は
ｓｉｎＡｓｉｎＢ＝（ｃｏｓ（Ａ−Ｂ）−ｃｏｓ（Ａ＋Ｂ））／２．．．式（１３）
又は
ｓｉｎＢ＝（ｃｏｓ（Ａ−Ｂ）−ｃｏｓ（Ａ＋Ｂ））／（２ｓｉｎＡ）．．．式（１４）
又は
ｓｉｎＡ＝（ｃｏｓ（Ａ−Ｂ）−ｃｏｓ（Ａ＋Ｂ））／（２ｓｉｎＢ）．．．式（１５）
のうちの任意のものとして表すことができる。
【００３８】
[0043]それぞれ（Ａ＋Ｂ）及び（Ａ−Ｂ）の周波数、並びにＭ／（２＊ｓｉｎ（Ａ）＊ｔ）に等しい振幅を有するように入力波を選択することによって、本発明は、周波数Ｂ及び一定の振幅Ｍを有する重ね合わされた出力波の発生を可能にし、この一定の振幅Ｍは、２つの予め調整されていない波が干渉する又は重ね合わされるときの合成出力波の時間と共に変動する（ビートパターン）振幅とは異なる。
【００３９】
[0044]以前の手法を上回る主要な利点は、２つの予め調整されていない波が干渉し／重ね合わされ、結果としてビートパターンが得られ、このため実際に使用することができないときの、合成波の時間と共に変動する振幅と異なり、合成波の振幅が一定であることである。
【００４０】
[0045]周波数Ｂを有する重ね合わされた出力波を発生するために、本発明は、周波数（Ａ＋Ｂ）及び（Ａ−Ｂ）を有する入力波を発生するのに好都合である任意の定数値Ａの選択を可能にすることが理解されよう。定数Ａのために選択される値は、任意の値とすることができるため、本発明は、それぞれ周波数（Ａ＋Ｂ）及び（Ａ−Ｂ）を有する入力波を用いて第１の周波数範囲内の周波数Ｂを有する波の発生を可能にし、ここで、周波数（Ａ＋Ｂ）及び（Ａ−Ｂ）がとる周波数範囲は、所望の重ね合わされた出力波の周波数Ｂから大幅に離すことができる。定数値Ａの適切な選択により、所望の重ね合わされた出力波の周波数Ｂは、入力波のそれぞれの周波数（Ａ＋Ｂ）及び（Ａ−Ｂ）と大きく異なることができる。
【００４１】
[0046]本発明の特定の実施形態において、オーディオ分野における特定の用途では、本発明の方法及び装置は、高い周波数を有する入力波を用いて、比較的低い周波数を有する重ね合わされた出力波を発生するために実装することができる。所望の出力周波数Ｂについて、（Ａ＋Ｂ）及び（Ａ−Ｂ）の双方がより高い周波数範囲内にあり、以てはるかに低い周波数Ｂを有する出力音波の発生を可能にするように、値Ａのための高い値を選択することができることが理解されよう。周波数（Ａ＋Ｂ）及び（Ａ−Ｂ）を有する高周波数入力波を発生して、はるかに低い周波数Ｂを発生することによって、本発明は、はるかに高い周波数のために合うように構成されたドライバを用いた、低周波数及び超低周波数の発生を可能にし、以て、低周波数及び超低周波数を発生することに関連付けられたドライバサイズ及び入力電力要件を回避する。本発明は、低周波数及び超低周波数を発生するためのシステム及びアセンブリに関連付けられた他の不利点を更に回避する。他の不利点には、大きなエンクロージャサイズ／システムサイズ／システム重量／システム寸法、大きなフォームファクタ、高い構築コスト、設計上の制約及び高いシステム複雑度が含まれる。本発明は、（ｉ）自然の、周期的／繰り返しの、繰り返しでない又は非周期的波、（ｉｉ）数学関数により必要に応じて発生された、強め合う干渉、フェーズドアレイ（複数可）を含む１つ又は複数の干渉波、（ｉｉｉ）ルックアップテーブル（複数可）（ＬＴＵ）、又は繰り返しを含む上記の任意の置き換え／組み合わせによるものを含む任意の数の方式で次々に発生することができる入力波に基づいて、所望の出力波を発生することを更に可能にする。
【００４２】
[0047]上記で説明した方法を用いて、大幅に高い周波数、例えば、ミッドレンジ周波数（２５０Ｈｚ〜２０００Ｈｚ）、トレブル周波数（２０００Ｈｚ〜２００００Ｈｚ）、及び超音波周波数（２００００Ｈｚ以上）を有する入力波を干渉させる又は重ね合わせることによって、ウーファ及びサブウーファによって通常発生される周波数（すなわち、２０Ｈｚ〜５００Ｈｚの範囲内）を有する出力波を発生することができることが即座に理解されよう。所望の出力波周波数値Ｂを所与として、入力波周波数（Ａ＋Ｂ）及び（Ａ−Ｂ）がそれぞれ上記で説明した周波数範囲のうちの任意のものに入るように定数値Ａを選択することができる。
【００４３】
[0048]本発明の特に有利な実施形態では、所与の所望の出力周波数Ｂについて、入力波周波数（Ａ＋Ｂ）及び（Ａ−Ｂ）の双方が超音波周波数範囲内、すなわち２００００Ｈｚ超（及び任意選択で、２０００Ｈｚ〜２０ＭＨｚ）に入るように定数値Ａを選択することができ、それによって、入力波は人間が聞こえる範囲外にあり、所望の出力波の人間の知覚と干渉しない。本発明の更により好ましい実施形態では、２０Ｈｚ〜５００Ｈｚの範囲内に入る周波数Ｂを有する所望の出力波は、各々がそれぞれ入力波周波数（Ａ＋Ｂ）及び（Ａ−Ｂ）を有する２つの入力波を干渉させるか又は重ね合わせることによって発生される。ここで、入力波周波数（Ａ＋Ｂ）及び（Ａ−Ｂ）の双方が、超音波周波数範囲内、すなわち２００００Ｈｚ超（任意選択で、２００００Ｈｚ〜２０ＭＨｚ）に入る。
【００４４】
[0049]本発明の教示を実装することにより得られる低周波数音は、スピーカ（複数可）自体によって直接ではなく、波の干渉により空気／媒体において生成される。したがって、従来のウーファ又はサブウーファと異なり、本発明の教示を実装するスピーカシステムの共振周波数（複数可）は、超音波範囲内にある。したがって、適用可能であるスピーカドライバ（複数可）及びアセンブリ（複数可）の共振の扱いは、はるかに簡単であり、結果として、大幅に軽量で、小さく、薄く、安価で、設計が容易な全体アセンブリ／システムが得られる。更に、これにより、従来は可能でなかった、多数のフォームファクタでのスピーカ又はスピーカアセンブリの生産が可能になる。
【００４５】
[0050]図４は、本発明のオーディオ分野に基づく実装を示す。ここで、第１のオーディオ信号ドライバＳ１を用いて第１の入力波Ｗ１を発生し、第２のオーディオ信号ドライバＳ２を用いて第２の入力波Ｗ２を発生し、オーディオ信号ドライバＳ１及びＳ２は、第１の入力波Ｗ１及び第２の入力波が干渉するように位置決めされ、結果として、重ね合わされた出力波Ｗ３が得られる。上記で説明した方法に従って入力波Ｗ１及びＷ２を発生するように第１のオーディオ信号ドライバＳ１及び第２のオーディオ信号ドライバＳ２を構成又は操作することによって、本発明の実施形態は、重ね合わされた出力波Ｗ３が、入力波Ｗ１及びＷ２のそれぞれの波周波数と大幅に異なる（特定の実施形態では、大幅に低い）波周波数を有することができることを確実にする。
【００４６】
[0051]図５は、２つの入力波（それぞれ破線で表される入力波１及び入力波２）のそれぞれの振幅−時間ドメイン、及び制御された又は変動しない振幅を有する、結果として得られる出力波（説明のために２つの入力波に重ねられた実線の正弦曲線波形によって表される出力波）を示すチャートを示す。
【００４７】
[0052]図６は、本発明の教示を実装するように構成された例示的な装置６００を示す。装置６００は、信号源６０２と、信号プロセッサ６０４と、第１の入力波発生器６１０と、第２の入力波発生器６１２とを備える。
【００４８】
[0053]信号源６０２は、装置６００によって発生されることを意図された出力波の信号特性に関する情報を提供する任意のデータ源又は情報源を含むことができる。一実施形態において、信号源６０２は、所望の出力波の信号特性を規定する１つ又は複数のデジタル信号を抽出することができるデジタル信号源を含むことができる。デジタル信号源の例示的な実例は、１つ又は複数のデジタル信号を受信又は抽出することができる任意の一時的又は非一時的メモリを含むことができる。別の実施形態では、信号源６０２は、１つ又は複数のアナログ信号を検出し、任意選択で、この１つ又は複数のアナログ信号をデジタル信号に変換するように構成されたアナログ信号源、例えばマイクロフォン又はトランスデューサを含むことができる。更に別の実施形態では、信号源６０２は、アナログ信号及びデジタル信号の組み合わせに基づいてハイブリッド又は混合信号を発生することが可能な１つ又は複数の信号源を含むことができる。デジタル信号は、メモリから取り出される必要がなく、代わりに、デジタル信号源からリアルタイムで発生及び受信されてもよいことが更に理解されよう。
【００４９】
[0054]信号プロセッサ６０４は、それぞれ信号解析器６０６及び信号コントローラ６０８を備える。一実施形態では、信号解析器６０６及び信号コントローラ６０８のそれぞれを、１つ又は複数のプロセッサ、集積回路、特定用途向け集積回路、若しくは他の半導体配置、光学配置、又は更に言えば任意の他の配置によって実装することができる。信号解析器６０６は、出力信号の振幅、周波数及び／又は位相特性を含む、信号源６０２から受信された所望の出力波のデジタル信号特性を解析するように構成することができる。信号解析器６０６は、信号源６０２から受信した出力波信号特性を有する重ね合わされた出力波を発生するように重ね合わせることができる複数の入力波のための適切な周波数を決定するように更に構成することができる。本発明の例示的な実施形態では、周波数Ｂ及び振幅Ｍを有する出力波のために、信号解析器は、少なくとも第１の入力波周波数（Ａ＋Ｂ）及び第２の入力波周波数（Ａ−Ｂ）を決定するように構成することができ、ここで、Ａは、周波数（Ａ＋Ｂ）及び（Ａ−Ｂ）が、それぞれ第１の入力波発生器６１０及び第２の入力波発生器６１２によって発生されることが可能な周波数値であるような定数値である。
【００５０】
[0055]その後、信号コントローラ６０８は、（ｉ）周波数（Ａ＋Ｂ）及び振幅Ｍ／（２＊ｓｉｎ（Ａ））を有する第１の入力波を発生するように第１の入力波発生器６１０を駆動し、（ｉｉ）周波数（Ａ−Ｂ）及び振幅Ｍ／（２＊ｓｉｎ（Ａ＊ｔ））を有する第２の入力波発生器を発生するように第２の入力波発生器６１２を駆動する、ように構成することができる。
【００５１】
[0056]実施形態において、前記第１の入力波発生器６１０及び第２の入力波発生器６１２は、結果として得られる入力波１及び入力波２が、第１の入力波発生器６１０に対応する第１の出力経路及び第２の入力波発生器６１２に対応する第２の出力経路の交差領域によって画定される交差領域内で干渉するように構成又は配置することができる。前記交差領域内の入力波１及び入力波２の干渉の結果、振幅Ｍ及び周波数Ｂを有する重ね合わされた出力波が発生する。図６は、単一の信号源、単一のプロセッサ及び単一の信号コントローラを示しているが、本発明は、任意の複数の任意の１つ又は複数の信号源、信号プロセッサ及び信号コントローラを有する実施形態も企図することが理解されよう。
【００５２】
[0057]本発明の装置の実施形態において、信号プロセッサ６０４は、上記で詳細に論考した本発明の実施形態のうちの任意のものに従って、入力波１及び２に対応する信号を解析及び発生するように構成することができる。図６は２つの入力波を示しているが、本発明の教示は、任意のより多くの数の入力波にも適用することができることが理解されよう。
【００５３】
[0058]本発明の上記の方法及び装置の実施形態は、２つの入力波を結合することによって重ね合わされた出力波を発生する観点から説明されたが、本発明の原理は、３つ以上の入力波を結合することによって重ね合わされた出力波を発生することにも等しく適用することができることが理解されよう。本発明の１つの実施形態では、重ね合わされた出力波を発生することは、少なくとも第１の入力波及び第２の入力波を結合して中間出力波を発生し、その後、中間出力波を第３の入力波と結合して重ね合わされた出力波を発生することを含むことができる。意図された重ね合わされた出力波の発生は、２つの波を結合して第３の出力波を発生する複数の実例を伴う場合があるが、その後、最終的に所望の重ね合わされた出力波が発生されるまで、この第３の出力波を、更に別の入力波と結合することができることが理解されよう。各結合ステップにおいて、この結合ステップへの入力波の周波数及び振幅を選択する方法は、その特定の結合するステップからの出力波の所望の周波数及び振幅に基づき、特定の結合ステップから、周波数Ｂ及び振幅Ｍを有する出力波が必要とされる場合、前記結合ステップのための２つの入力波は、それぞれ、周波数（Ａ＋Ｂ）及び（Ａ−Ｂ）、並びにＭ／（２＊ｓｉｎ（Ａ＊ｔ））の関数である（Ｍ／（２＊ｓｉｎ（Ａ＊ｔ））に等しいことが好ましい）振幅を有することができる。ここで、任意選択的な実施形態では、Ａは、値Ｂよりも高い任意の選択された定数値とすることができる。
【００５４】
[0059]本発明の方法及び装置は、波のタイプ、波源、波数、波特性又は波パラメータ、波伝達媒体、及び干渉又は重ね合わせを有効にするための装置のうちの任意の観点を含めて、干渉する又は重ね合わされた入力波に対する制限又は制約を課さないことが理解されよう。本発明は、正弦波又は余弦波のみの作成に限定されず、数学式によって記述される波、又は任意波若しくはカスタム波（複数可）を含む、任意のタイプの波を作成するのに用いることができることが特に理解されよう。
【００５５】
[0060]この方法は、正弦波／余弦波のみを作成することに限定されず、数学式によって記述される波、又は任意波／カスタム波（複数可）を含む、任意のタイプの波を作成するのに用いることができる。
【００５６】
[0061]本発明の様々な実施形態において、入力波（複数可）は、必要に応じて、数学関数、ルックアップテーブル（複数可）（ＬＵＴ）、又は繰り返しを含む上記の任意の置き換え／組み合わせにより発生された、強め合う干渉、フェーズドアレイ（複数可）を含む１つ又は複数の干渉波から作成された、自然の、周期的／繰り返しの、繰り返しでない又は非周期的波とすることができる。
【００５７】
[0062]波は、真空において、１つ又は複数の媒体内で、又は任意の他の方式で干渉させることができる。入力波は、互いに入射する構成、同じ方向を向いた構成、平行構成、逆平行構成、互いに対し或る角度をなす構成、又は波干渉を可能にする任意の他の構成で干渉させることができる。
【００５８】
[0063]また更に、干渉させる／重ね合わせる波の数の選択、周波数、振幅、位相等の波パラメータの選択、干渉／重ね合わせメカニズム（複数可）の物理的実装等は、特定の用途（複数可）、及び適用可能な要因、例えば、効率性、方向性、サイズ、電力、エネルギー、速度、コスト、設計、複雑度、望まない副次効果の軽減等に依拠することができる。
【００５９】
[0064]更に、出力波の発生の最適化は、適切な元の波（複数可）、特性、元の波（複数可）の数、基準周波数（複数可）方法、元の波及び／又は中間波（複数可）の干渉シーケンス、行われる変換（複数可）及びそれらの順序、ルックアップテーブル（複数可）の作成及び／又は選択、並びにルックアップテーブル（複数可）の値等の選択を含む複数の方法により行うこともできる。
【００６０】
[0065]本発明の装置の実施形態では、第１の入力波発生器及び第２の入力波発生器は、発生される第１の入力波及び第２の入力波が、直接互いに入射し、最大干渉（すなわち、可能な限り最大の数の干渉波）を可能にすることを確実にするように構成することができる。他の装置の実施形態は、超音波周波数が第１の入力波発生器及び第２の入力波発生器の交差領域から出ることを防ぐための防音又は超音波減衰構成、出射された入力波が下方に又は（超音波周波数に曝すことに起因した器官の損傷を防ぐために）被験者の耳の領域から離れるように方向付けされるような、角度をつけられた入力波発生器の位置決め等のような更なる特徴を含むことができる。特定の実施形態では、装置は、意図された波交差領域内の第１の入力波及び第２の入力波の干渉を最適化するための１つ又は複数の導波路を含むことができる。
【００６１】
[0066]本発明のこの方法及び装置は、限定ではないが、音波と、光、レーザ、無線周波数、マイクロ波を含む全ての種類の電磁波と、衝撃波、重力波等の媒体を通じた波とを含む、全ての種類の波への普遍的な／広範囲の用途を有する。例示的な用途は、オーディオのための重ね合わされた出力波合成、長距離音響デバイス、復調を必要としないエネルギー／データ送信デバイス、合成波（複数可）を発生するための、元の波及び／又は中間波（複数可）への暗号技法の適用等を含む。
【００６２】
[0067]本発明の更なる利点は、元の信号を抽出するために、合成波を復調する必要もなくなることである。これは、限定ではないが、プライベート（又はセキュア）復調を伴う拡散スペクトル通信技法を含む通信、プライベート計量（ｐｒｉｖａｔｅ  ｍｅｔｅｒｉｎｇ）を伴う電力伝達技法を含む電力伝達等を含む多数の用途において潜在的な利点を提供する。
【００６３】
[0068]上記で論考したように、本発明の１つの重要な実施形態は、オーディオ信号及びオーディオ出力を発生する領域における本発明の適用を含む。ここで、本発明は、大幅に高い周波数、例えば、ミッドレンジ周波数（２５０Ｈｚ〜２０００Ｈｚ）、トレブル周波数（２０００Ｈｚ〜２００００Ｈｚ）、及び超音波周波数（２００００Ｈｚ以上）を有する入力波を干渉させる又は重ね合わせることによって、ウーファ及びサブウーファにおける周波数（すなわち、２０Ｈｚ〜５００Ｈｚの範囲内）を有する出力波を発生するのに用いることができる。所望の出力波周波数値Ｂを所与として、入力波周波数（Ａ＋Ｂ）及び（Ａ−Ｂ）がそれぞれ上記で説明した周波数範囲のうちの任意のものに入るように定数値Ａを選択することができる。本発明の特に有利な実施形態では、本発明は、超音波周波数範囲内の周波数を有する複数の入力波を干渉させることによって、ウーファ又はサブウーファの範囲の周波数を有する重ね合わされた出力波を発生するのに用いることができる。特に有利な実施形態では、上記の発明の実装は、大幅に高い周波数、例えば、ミッドレンジ周波数、トレブル周波数、及び超音波周波数を有する入力波の重ね合わせに基づいて、２０Ｈｚ〜５００Ｈｚの出力音波を発生することが可能なウーファ又はサブウーファを製造し、以て、上記出力音波を発生するのに必要なオーディオドライバ／波発生器／スピーカに必要なサイズ及び電源入力を大幅に低減するために用いることができる。そのような実装により、結果として、既存のウーファ／サブウーファシステムよりも劇的に薄く、軽量で、大幅に低いコストで製造可能であり、かつ（ウーファ及びサブウーファシステムにこれまで関連付けられていた最小サイズ要件なしで）いくつかの独創的フォームファクタでの製造も可能なウーファ及びサブウーファが得られることがわかっている。
【００６４】
[0069]図７は、本発明の教示による、干渉のための入力波を発生するように構成された複数のドライバ／入力波発生器のための例示的な構成を示す。示される実施形態において、装置は、固定の表面７０２及び７０４を含み、可動表面（例えば、ダイヤフラム面）７０６が２つの間に位置決めされている。実施形態において、表面７０２及び７０４は、電磁電荷を帯びた表面又はグリッドを含むことができる一方で、表面７０６は、永久磁化表面とすることができる。本発明の教示による２つの予め調整された入力波を、それぞれ表面７０２及び７０６に適用することができ、その結果として、表面対７０２、７０４が入力波１を発生するのに対し、表面対７０４、７０６は入力波２を発生し、入力波１及び２の干渉又は重ね合わせは、表面７０４自体の中で生じる。
【００６５】
[0070]図８は、本発明の教示による、干渉のための入力波を発生するように構成された複数のドライバ／入力波発生器のための代替的な例示的構成を示す。示される実施形態は、４つの平行に位置決めされた磁気表面８０２、８０４、８０６及び８０８を含む。
【００６６】
[0071]表面８０２及び８０８は、固定された表面である一方で、表面８０４及び８０６は、それぞれ可動面又はダイヤフラム面である。更に、表面８０２及び８０４は各々、電磁電荷を帯びた表面を含むことができるか、又は代替的に、２つのうちの一方が電磁電荷を帯びた表面を含むことができる一方で、他方が永久磁化表面である。同様に、表面８０６及び８０８は、各々が電磁電荷を帯びた表面を含むことができるか、又は２つのうちの一方が電磁電荷を帯びた表面を含むことができる一方で、他方が永久磁化表面である。２つの予め調整された入力波を、それぞれ、第１の表面対８０２、８０４及び第２の表面対８０６、８０８の各々に適用することができる。表面対８０２、８０４を用いて入力波１を発生することができる一方で、表面対８０６、８０８を用いて入力波２を発生することができ、それによって、入力波１及び入力波２の干渉／重ね合わせが、表面８０４及び８０６間の媒体内で生じる。
【００６７】
[0072]図９は、本発明を実装するための例示的なシステムを示す。
【００６８】
[0073]コンピュータシステム９０２は、１つ又は複数のプロセッサ９０４と、少なくとも１つのメモリ９０６とを備える。プロセッサ９０４は、プログラム命令を実行するように構成され、実在のプロセッサ又は仮想プロセッサとすることができる。コンピュータシステム９０２は、説明される実施形態の使用又は機能の範囲に関して何ら限定を示唆するものではないことが理解されよう。コンピュータシステム９０２は、限定ではないが、汎用コンピュータ、プログラムされたマイクロプロセッサ、マイクロコントローラ、集積回路、光学プロセッサ、ＡＳＩＣ、ＦＰＧＡ、ＳＯＣ、開発／カスタムボード、埋め込みデバイス、カスタムコンピュータ、ＤＳＰ、ａ／ｖ受信機、メディアボックス、スマートウォッチ、任意の他の電子デバイス、及び本発明の方法を構成するステップを実装することが可能な任意の他のデバイス又はデバイス配置の１つ又は複数を含むことができる。本発明によるシステム９０２の例示的な実施形態は、１つ又は複数のサーバ、デスクトップ、ラップトップ、タブレット、スマートフォン、モバイルフォン、モバイル通信デバイス、タブレット、ファブレット及び携帯情報端末を含むことができる。本発明の一実施形態では、メモリ９０６は、本発明の様々な実施形態を実装するためのソフトウェアを記憶することができる。コンピュータシステム９０２は、更なる構成要素を有することができる。例えば、コンピュータシステム９０２は、１つ又は複数の通信チャネル９０８、１つ又は複数の入力デバイス９１０、１つ又は複数の出力デバイス９１２及びストレージ９１４を含むことができる。バス、コントローラ又はネットワーク等の相互接続メカニズム（図示せず）は、コンピュータシステム９０２の構成要素を相互接続する。本発明の様々な実施形態において、オペレーティングシステムソフトウェア（図示せず）は、プロセッサ９０４を用いてコンピュータシステム９０２内で実行される様々なソフトウェアの動作環境を提供し、コンピュータシステム９０２の構成要素の様々な機能を管理する。
【００６９】
[0074]通信チャネル（複数可）９０８は、通信媒体を介した、様々な他のコンピューティングエンティティへの通信を可能にする。通信媒体は、プログラム命令等の情報、又は通信媒体における他のデータを提供する。通信媒体は、限定ではないが、電気、光、ＲＦ、赤外線、音響、マイクロ波、Ｂｌｕｅｔｏｏｔｈ又は他の伝送媒体で実装される有線又は無線による方法を含む。
【００７０】
[0075]入力デバイス（複数可）９１０は、限定ではないが、タッチスクリーン、キーボード、マウス、ペン、ジョイスティック、トラックボール、ボイスデバイス、スキャンデバイス、又は入力をコンピュータシステム９０２に提供することが可能な任意の別のデバイスを含むことができる。本発明の実施形態では、入力デバイス（複数可）９１０は、アナログ又はデジタル形式でオーディオ入力を受けるサウンドカード又は類似のデバイスとすることができる。出力デバイス（複数可）９１２は、限定ではないが、ＣＲＴ、ＬＣＤ、ＬＥＤディスプレイ上のユーザインターフェース、若しくはサーバ、デスクトップ、ラップトップ、タブレット、スマートフォン、モバイルフォン、モバイル通信デバイス、タブレット、ファブレット及び携帯情報端末のいずれかに関連付けられた任意の他のディスプレイ、プリンタ、スピーカ、ＣＤ／ＤＶＤライタ、又はコンピュータシステム９０２からの出力を提供する任意の他のデバイスを含むことができる。
【００７１】
[0076]ストレージ９１４は、限定ではないが、磁気ディスク、磁気テープ、ＣＤ−ＲＯＭ、ＣＤ−ＲＷ、ＤＶＤ、任意のタイプのコンピュータメモリ、磁気ストライプ、スマートカード、プリントされたバーコード、又は情報を記憶するのに用いることができ、コンピュータシステム９０２によってアクセスすることができる任意の他の一時的若しくは非一時的媒体を含むことができる。本発明の様々な実施形態において、ストレージ９１４は、説明した実施形態のうちの任意のものを実装するためのプログラム命令を含むことができる。
【００７２】
[0077]本発明の実施形態において、コンピュータシステム９０２は、分散ネットワークの一部であるか、又は利用可能なクラウドリソースのセットの一部である。
【００７３】
[0078]本発明は、システム、方法、又はコンピュータ可読ストレージ媒体等のコンピュータプログラム製品、又はプログラミング命令がリモートロケーションから通信されるコンピュータネットワークを含む、多数の方式で実装することができる。
【００７４】
[0079]本発明は、コンピュータシステム９０２と共に用いるためのコンピュータプログラム製品として適切に具現化することができる。本明細書に記載の方法は、通常、コンピュータシステム９０２又は任意の他の類似のデバイスによって実行されるプログラム命令のセットを含むコンピュータプログラム製品として実装される。プログラム命令のセットは、コンピュータ可読ストレージ媒体（ストレージ９１４）等の有形媒体、例えば、ディスケット、ＣＤ−ＲＯＭ、ＲＯＭ、フラッシュドライバ若しくはハードディスク上に記憶されるか、又は、モデム若しくは他のインターフェースデバイスにより、限定ではないが光若しくはアナログ通信チャネル（複数可）９０８のいずれかを含む有形媒体を介してコンピュータシステム９０２に送信可能な、一連のコンピュータ可読コードとすることができる。コンピュータプログラム製品としての本発明の実装は、限定ではないが、マイクロ波、赤外線、Ｂｌｕｅｔｏｏｔｈ又は他の送信技法を含む、無線技法を用いた無形形式をとってもよい。これらの命令は、システムに事前にロードすることができるか、又はＣＤ−ＲＯＭ等のストレージ媒体上に記録することができるか、又はインターネット若しくはモバイルフォンネットワーク等のネットワークを介したダウンロードのために利用可能にすることができる。一連のコンピュータ可読命令は、本明細書において上記で記載した機能の全て又は一部を具現化することができる。
【００７５】
[0080]本発明の例示的な実施形態が本明細書において説明及び例示されているが、これらは単に例示的なものであることが理解されよう。添付の特許請求の範囲によって画定されるような本発明の趣旨及び範囲から逸脱することもこれらに違反することもなく形式及び詳細における様々な変更を行うことができることが当業者には理解されよう。更に、本明細書において例示的に開示された本発明は、本明細書に詳細に開示されていない任意の要素がない状態で適切に実践することができ、詳細に企図された特定の実施形態では、本明細書に詳細に開示されていない任意の要素がない状態で実践されることが企図される。
【図１】
2019535038.tif 000003
【図２】
2019535038.tif 000004
【図３】
2019535038.tif 000005
【図４】
2019535038.tif 000006
【図５】
2019535038.tif 000007
【図６】
2019535038.tif 000008
【図７】
2019535038.tif 000009
【図８】
2019535038.tif 000010
【図９】
2019535038.tif 000011
【国際調査報告】
2019535038.tif 000012
2019535038.tif 000013
2019535038.tif 000014